(57)【要約】【課題】間仕切パネルをレールに沿って安定して移動させることができる移動間仕切装置を提供する。【解決手段】レール３０，３１，３２，…に沿って転動可能な吊支体４，４により吊支される間仕切パネル２により空間Ｙを間仕切るとともに、収納時には収納部Ｘに間仕切パネル２を収納する移動間仕切装置１であって、間仕切パネル２を収納部Ｘに配設されるレール３０，３１，３２，…に沿って移動させる移動装置７，８を備え、移動装置７，８は、駆動部７０，８１と、該駆動部７０，８１の駆動により作動する作動部７３，８３と、収納部Ｘに配設されるレール３０，３１，３２，…に沿って作動部７３，８３の移動を案内する案内部１１Ａ，１１Ｂと、を備える。【選択図】図８
2018131856.tif 000002
【特許請求の範囲】
【請求項１】
レールに沿って転動可能な吊支体により吊支される間仕切パネルにより空間を間仕切るとともに、収納時には収納部に前記間仕切パネルを収納する移動間仕切装置であって、
前記間仕切パネルを前記収納部に配設される前記レールに沿って移動させる移動装置を備え、
前記移動装置は、駆動部と、該駆動部の駆動により作動する作動部と、前記収納部に配設される前記レールに沿って前記作動部の移動を案内する案内部と、を備えることを特徴とする移動間仕切装置。
【請求項２】
前記作動部は、前記案内部を介して前記レールから吊支されていることを特徴とする請求項１に記載の移動間仕切装置。
【請求項３】
前記レールは、断面視下方に開口する略コ字状であり、かつ前記案内部は、前記レール内に配置され、前記レールの下部内面に載置され転動する第１の車輪と、前記案内部の上部に配置され前記レールの上部内面に対して転動可能な第２の車輪と、を備えることを特徴とする請求項１または２に記載の移動間仕切装置。
【請求項４】
前記案内部は、前記レールの側部内面、前記レール内に設けられる案内部材の側面および前記レールの下方に開口するガイド溝の少なくとも一つに対して転動可能な第３の車輪を有していることを特徴とする請求項１ないし３のいずれかに記載の移動間仕切装置。
【請求項５】
前記レールは、前記収納部まで延びる走行レールと、該走行レールに対して一対の交差部において交差する一対の収納レールと、を備え、
前記移動装置は、一対の前記案内部を備え、前記間仕切パネルを前記収納レールに沿って移動させることを特徴とする請求項１ないし４のいずれかに記載の移動間仕切装置。
【請求項６】
前記移動装置は、前記間仕切パネルを前記収納レールから前記走行レールに取出移送する取出移送装置であることを特徴とする請求項５に記載の移動間仕切装置。
【請求項７】
前記移動装置は、前記間仕切パネルを前記走行レールから前記収納レールに収納移送する収納移送装置であることを特徴とする請求項５に記載の移動間仕切装置。
【請求項８】
前記移動装置は、前記走行レールを挟んで対向して設けられ、
一方の前記移動装置は、前記間仕切パネルを前記収納レールから前記走行レールに取出移送する取出移送装置であり、他方の前記移動装置は、前記間仕切パネルを前記走行レールから前記収納レールに収納移送する収納移送装置であることを特徴とする請求項５に記載の移動間仕切装置。
【発明の詳細な説明】
【技術分野】
【０００１】
本発明は、オフィス、展示ホール、会議場等を所定の区画に仕切って使用するための移動間仕切装置に関する。
【背景技術】
【０００２】
移動間仕切装置は、例えば天井に設けられる走行レールから吊支体により吊支され、該走行レールに沿って移動可能な間仕切パネルを幅方向に直列に連接して壁面を形成し、オフィス、展示ホール、会議場等の室内空間を所定の区画に仕切る用途で利用されている。また、間仕切パネルを間仕切りとして使用しない場合には、間仕切パネルを走行レールに沿って移動させ、複数の間仕切パネルを走行レールの端部等に形成される収納部にまとめて収納している。
【０００３】
また、移動間仕切装置には、収納部において複数の間仕切パネルを収納するために必要なスペースを小さくするために、走行レールに沿って移動してきた複数の間仕切パネルを収納部において水平方向に回動させることなく、その吊支姿勢を維持した状態で間仕切パネルの厚み方向に移動させて複数の間仕切パネルを並列に収納できるようにしたものがある。
【０００４】
このような移動間仕切装置としては、特許文献１に開示されているように、ターンテーブルを略９０度水平回動させて、移動壁（間仕切パネル）を案内用天井レールから収納用天井レールに移動させるものが提案されている。すなわち、移動壁は、天井に設けられる案内用天井レール内を走行可能な一対の走行体（吊支体）から案内用天井レールの開口部を通して垂下させた懸吊杆を介して吊支されており、案内用天井レールは、室内空間の側壁に形成される出入口から収納庫内まで延設され、収納庫内において案内用天井レールに対して一対の収納用天井レールが直交するように接続されるとともに、案内用天井レールには、一対の収納用天井レールとの接続部分に一対のターンテーブルが形成されている。尚、一対の走行体は移動壁の本体部に対して水平方向に回動可能に取付けられている。移動壁を案内用天井レールに沿って移動させ、一対のターンテーブルに移動壁の一対の走行体が支持される位置で、案内用天井レールの一部であるターンテーブルと共に移動壁の一対の走行体をそれぞれ９０度水平回動させることにより、ターンテーブルは収納用天井レールに連接されるため、一対の走行体はターンテーブルから収納用天井レールに移動可能となる。このように、移動壁の走行体は、本体部の吊支姿勢を維持した状態で案内用天井レールと収納用天井レールとの間で移動可能とされている。
【０００５】
また、収納庫内には、収納用天井レールに沿って移動壁をその厚み方向に移動させるための移動壁駆動機構が配設されている。移動壁駆動機構は、電動機等により正逆駆動する一対のチェーンにそれぞれ取付けられる複数の付勢アームを備え、付勢アームは、一対のチェーンの駆動を受けて移動壁の本体部の上端において一対の走行体間に起立して設けられる一対の起立杆をそれぞれ移動壁の厚み方向に押圧できるようになっている。尚、案内用天井レールには、一対の起立杆と対応する位置に収納用天井レール側に向けて開放する切欠部がそれぞれ形成されており、該切欠部を起立杆が通ることにより移動壁を厚み方向に移動させることができるようになっている。
【０００６】
この構成によれば、案内用天井レールに沿って移動してきた移動壁は、収納庫内において案内用天井レールに形成されるターンテーブルに走行体が支持される位置で一対の走行体のみが９０度水平回動されることにより案内用天井レールに直交する収納用天井レールに対して走行体を移動可能とした後、移動壁駆動機構の一対のチェーンの駆動を受けた一対の付勢アームによって移動壁の本体部の上端に設けられる起立杆が移動壁の厚み方向に押動されることにより収納用天井レールに移送されるため、複数の移動壁を本体部の吊支姿勢が維持された状態で案内用天井レールから収納用天井レールに収納移送して並列に収納することができる。尚、移動壁駆動機構とターンテーブルが収納時と逆動作を行うことにより、収納用天井レールに並列に収納された移動壁を収納用天井レールから案内用天井レールに取出移送し、移動壁を収納庫外に移動させて案内用天井レールに連接して間仕切りとして使用できる。
【先行技術文献】
【特許文献】
【０００７】
【特許文献１】特許第２８９１１５３号公報（第３頁、第２図）
【発明の概要】
【発明が解決しようとする課題】
【０００８】
しかしながら、特許文献１にあっては、収納庫内において移動壁を収納用天井レールに沿って移動させる際に付勢アームには移動壁駆動機構におけるチェーンから移動壁の厚み方向に押動力が加えられる構造であるため、チェーンの撓み、緩み等により生じる不規則な揺れが付勢アームを介して移動壁に伝わり、移動壁の走行体が収納用天井レールに対して傾き、走行体の側部が収納用天井レールに当接して走行体と収納用天井レールとの間にスティックスリップを生じさせる虞があった。
【０００９】
本発明は、このような問題点に着目してなされたもので、間仕切パネルをレールに沿って安定して移動させることができる移動間仕切装置を提供することを目的とする。
【課題を解決するための手段】
【００１０】
前記課題を解決するために、本発明の移動間仕切装置は、
レールに沿って転動可能な吊支体により吊支される間仕切パネルにより空間を間仕切るとともに、収納時には収納部に前記間仕切パネルを収納する移動間仕切装置であって、
前記間仕切パネルを前記収納部に配設される前記レールに沿って移動させる移動装置を備え、
前記移動装置は、駆動部と、該駆動部の駆動により作動する作動部と、前記収納部に配設される前記レールに沿って前記作動部の移動を案内する案内部と、を備えることを特徴としている。
この特徴によれば、移動装置の作動部は、駆動部の駆動により作動する際に案内部によりその移動をレールに沿って案内され、作動部がレールに沿って正確に移動するとともに、収納部において間仕切パネルと移動装置の作動部の移動が共通のレールに沿って案内されるため、間仕切パネルをレールに沿って安定して移動させることができる。
【００１１】
前記作動部は、前記案内部を介して前記レールから吊支されていることを特徴としている。
この特徴によれば、移動装置の作動部が案内部を介してレールから吊支されるため、間仕切パネルをレールから吊支する吊支体の転動を作動部が邪魔することなく、間仕切パネルをレールに沿って安定して移動させることができる。
【００１２】
前記レールは、断面視下方に開口する略コ字状であり、かつ前記案内部は、前記レール内に配置され、前記レールの下部内面に載置され転動する第１の車輪と、前記案内部の上部に配置され前記レールの上部内面に対して転動可能な第２の車輪と、を備えることを特徴としている。
この特徴によれば、移動装置の案内部がレール内を移動する際に、第１の車輪が下部内面に対して移動装置の荷重を支持しながら転動するとともに、案内部の上部に配置される第２の車輪が上部内面に対して転動することにより、案内部の上方への浮き上がり等の上下方向のガタつきを抑えながら案内部をレールに沿って滑らかに移動させることができるため、間仕切パネルをレールに沿ってより安定して移動させることができる。
【００１３】
前記案内部は、前記レールの側部内面、前記レール内に設けられる案内部材の側面および前記レールの下方に開口するガイド溝の少なくとも一つに対して転動可能な第３の車輪を有していることを特徴としている。
この特徴によれば、移動装置の案内部がレール内を移動する際に、第３の車輪が側部内面、レール内に設けられる案内部材の側面、またはレールの下方に開口するガイド溝に対して転動することにより、案内部の移動をガイドして水平方向のぐらつきを抑えることができるため、移動装置の作動部をレールに沿ってより正確に移動させることができる。
【００１４】
前記レールは、前記収納部まで延びる走行レールと、該走行レールに対して一対の交差部において交差する一対の収納レールと、を備え、
前記移動装置は、一対の前記案内部を備え、前記間仕切パネルを前記収納レールに沿って移動させることを特徴としている。
この特徴によれば、移動装置の作動部は、駆動部の駆動により作動する際に一対の案内部によりその移動を一対の収納レールに沿って案内され、作動部が一対の収納レールに沿って正確に移動するとともに、間仕切パネルを吊支する一対の吊支体の各収納レールに対する傾きが抑えられるため、一対の吊支体により吊支される間仕切パネルを収納レールに沿って厚み方向に安定して移動させることができる。
【００１５】
前記移動装置は、前記間仕切パネルを前記収納レールから前記走行レールに取出移送する取出移送装置であることを特徴としている。
この特徴によれば、取出移送装置としての移動装置の作動部は、駆動部の駆動により作動する際に案内部によりその移動を走行レールに対して交差部において交差する収納レールに沿って案内され、作動部が収納レールに沿って正確に移動するため、間仕切パネルを収納レールに沿って厚み方向に安定して移動させて収納レールから走行レールへ取出移送することができる。
【００１６】
前記移動装置は、前記間仕切パネルを前記走行レールから前記収納レールに収納移送する収納移送装置であることを特徴としている。
この特徴によれば、収納移送装置としての移動装置の作動部は、駆動部の駆動により作動する際に案内部によりその移動を走行レールに対して交差部において交差する収納レールに沿って案内され、作動部が収納レールに沿って正確に移動するため、間仕切パネルを収納レールに沿って厚み方向に安定して移動させて走行レールから収納レールへ収納移送することができる。
【００１７】
前記移動装置は、前記走行レールを挟んで対向して設けられ、
一方の前記移動装置は、前記間仕切パネルを前記収納レールから前記走行レールに取出移送する取出移送装置であり、他方の前記移動装置は、前記間仕切パネルを前記走行レールから前記収納レールに収納移送する収納移送装置であることを特徴としている。
この特徴によれば、走行レールを挟んで取出移送装置と収納移送装置が対向して配置され、各移動装置の作動部は、駆動部の駆動により作動する際に各案内部によりその移動を交差部において走行レールに対して交差する収納レールに沿ってそれぞれ案内され、それぞれの作動部は収納レールに沿って正確に移動するため、間仕切パネルを収納レールに沿って厚み方向に安定して移動させて走行レールと収納レールとの間で取出移送および収納移送することができる。
【図面の簡単な説明】
【００１８】
【図１】実施例における移動間仕切装置を示す斜視図である。
【図２】収納部における移動間仕切装置についてレールユニットの上方部分を省略して示す上面図である。
【図３】収納部における移動間仕切装置を示す右斜め前方から見た模式斜視図である。
【図４】主に収納移送手段を示す上面図である。
【図５】主に取出移送手段を示す上面図である。
【図６】（ａ）は、移送可能状態における間仕切パネルを示す正面図であり、（ｂ）は、第２移動手段により押動される間仕切パネルを示す正面図である。
【図７】（ａ）は、移送可能状態における間仕切パネルを示す背面図であり、（ｂ）は、第２移動手段により押動される間仕切パネルを示す背面図である。
【図８】移動間仕切装置を左側方から見た一部断面図である。
【図９】（ａ）は、レールの断面および案内部を示す正面視における一部断面図であり、（ｂ）は、案内部を示す上面図である。
【図１０】（ａ）〜（ｃ）は、間仕切パネルを収納基準位置に搬送・移動させる態様を示す上面図である。
【図１１】（ａ）〜（ｃ）は、間仕切パネルを収納レールに並列に収納する態様を示す上面図である。
【図１２】（ａ）〜（ｃ）は、２枚の間仕切パネルを収納レールに並列に収納する態様を示す上面図である。
【図１３】（ａ）〜（ｃ）は、収納レールに並列に収納された間仕切パネルを収納基準位置に取出移送し取出する態様を示す上面図である。
【図１４】収納基準位置に取出された間仕切パネルを押動し搬送する態様を示す上面図である。
【発明を実施するための形態】
【００１９】
本発明に係る移動間仕切装置を実施するための形態を実施例に基づいて以下に説明する。
【実施例】
【００２０】
実施例に係る移動間仕切装置につき、図１から図１４を参照して説明する。以下、図２の紙面下側を移動間仕切装置の正面側（前方側）とし、その前方側から見たときの上下左右方向を基準として説明する。
【００２１】
本実施例の移動間仕切装置１は、図１に示されるように、天井部Ｃに設けられるレールユニット３から吊支部材４，４（連結杆４２，４２）により吊支され、該レールユニット３に沿って移動可能な複数の間仕切パネル２，２，…を幅方向に直列に連接して壁面を形成し、オフィス、展示ホール、会議場等の室内空間Ｙを所定の区画に仕切る用途で使用されるものである。
【００２２】
本実施例の移動間仕切装置１は、図２，３に示されるように、天井部Ｃに亘って設置されるレールユニット３と、該レールユニット３に沿って移動可能な左右一対の吊支部材４，４（吊支体）により吊支される間仕切パネル２と、複数の間仕切パネル２，２，…を収納・取出するための収納・取出機構Ｓ（後述するローラユニット５０，５５，…、第１移動手段６、収納移送手段７、取出移送手段８、第２移動手段９）と、から主に構成されている。尚、収納室Ｘ（収納部）は、室内空間Ｙを画成する側壁Ｗに対して所定の奥行きを形成するように上下方向に亘って凹設されている。さらに尚、側壁Ｗには、床部から天井部Ｃに亘って出入口Ｅが形成されており、出入口Ｅを介して間仕切パネル２を収納室Ｘより出入させることができる。
【００２３】
間仕切パネル２を間仕切りとして使用しない場合には、収納室Ｘにおいて収納・取出機構Ｓにより、間仕切パネル２をレールユニット３の第１レール３０（走行レール）に沿って移動させ、第１レール３０から後述する交差部３５，３５’において交差する第２レール３１，３１（収納レール）に収納移送し、複数の間仕切パネル２，２，…を並列に収納する。また、間仕切パネル２を間仕切りとして使用する場合には、第２レール３１，３１に並列に収納された間仕切パネル２を、第２レール３１，３１から第１レール３０に取出移送し、間仕切りとして使用可能となる。
【００２４】
尚、説明の都合上、図２，４，５，１０〜１４において、レールユニット３は、後述する下向き開口部３０ａ，３１ａ，３２ａ，３３ａ，…（ガイド溝）およびレール部３０ｂ，３１ｂ，３２ｂ，３３ｂ，…のみを図示しており、後述する収納・取出機構Ｓの案内部１１Ａ，１１Ｂを簡略化して図示している。さらに尚、図３において、ローラユニット５０，５５，…、第１移動手段６、収納移送手段７、取出移送手段８、第２移動手段９の図示を簡略化している。さらに尚、本実施例の記載内容および各図において、最大で３枚の間仕切パネル２，２，２のみの説明および図示を行っているが、間仕切パネル２の枚数を限定するものではない。
【００２５】
まず、レールユニット３について、図２，３，８，９（ａ）を用いて説明する。図２，３に示されるように、レールユニット３は、収納室Ｘ内から収納室Ｘにアクセス可能な出入口Ｅを経て室内空間Ｙまで配設される左右方向に延びる略直線状の第１レール３０と、交差部３５，３５’において第１レール３０と略直交する左右一対の第２レール３１，３１と、交差部３５，３５’において第１レール３０と直交し第２レール３１，３１と対向する左右一対の第３レール３２，３２と、交差部３５，３５’において各レール３０，３１，３２，…を略十字状に連結する上面視略正方形状の接続部材３３，３３’と、を備えている。
【００２６】
尚、説明の都合上、第１レール３０のうち、収納室Ｘ内において室内空間Ｙ側に位置するものを第１レール３０Ａ、接続部材３３，３３’の間に接続されるものを第１レール３０Ｂ、接続部材３３のみに接続されるものを第１レール３０Ｃとして説明することもある。
【００２７】
レール３０，３１，３２，…は、断面視において略同一構成のレール部材を任意の長さに切断・接続することで形成されているため、第２レール３１の構造を説明し、第１，第３レール３０，３２の説明を省略する。
【００２８】
図９（ａ）に示されるように、第２レール３１は、金属製であり、押出し成形により断面視下向きコ字状に形成されている。下端部略中央に形成された下向き開口部３１ａと、下向き開口部３１ａを挟んで互いに略平行に形成された一対のレール部３１ｂ，３１ｂと、一対の側部と、レール部３１ｂ，３１ｂと略平行かつ上方に形成された天井部３１ｃと、天井部３１ｃの略中央部に形成された断面視略長方形状のガイド部３１ｄと、を備え、これらは長手方向に亘って連続形成されている。尚、ガイド部３１ｄは、後述する吊支部材４のガイドローラ４１，４１，…（図８参照）並びに収納移送手段７および取出移送手段８の案内部１１Ａ，１１Ｂ，…のガイドローラ１５，１５，…の間に挿嵌可能に形成されている。
【００２９】
接続部材３３（図３参照）は、下端部に亘って下端部略中央から略十字状に形成された下向き開口部３３ａと、下向き開口部３３ａを前後左右に挟んで互いに略平行に形成されたレール部３３ｂ，３３ｂ，…と、レール部３３ｂ，３３ｂ，…と略平行かつ上方に形成された天井部３３ｃ（図８参照）と、天井部３３ｃの略中央部に上面視略正方形状に形成された側部断面視略長方形状のガイド部３３ｄ（図８参照）と、から主に構成された中空の部材である。尚、ガイド部３３ｄは、後述する吊支部材４のガイドローラ４１，４１，…の間に挿嵌可能に形成されている。さらに尚、接続部材３３’については、接続部材３３と略同一構成のため説明を省略する。
【００３０】
レールユニット３は、接続部材３３にレール３０，３１，３２がそれぞれ接続されることで、上面視略十字状の交差部３５，３５’（図３参照）を形成する。交差部３５，３５’では、接続部材３３のレール部３３ｂに対してレール３０，３１，３２のレール部３０ｂ，３１ｂ，３２ｂがそれぞれ接続されており、同様に接続部材３３の下向き開口部３３ａに対してレール３０，３１，３２の下向き開口部３０ａ，３１ａ，３２ａがそれぞれ連接されている。このとき、レール３１，３２，…は、第１レール３０に対して略直交して接続部材３３，３３’に接続されている。
【００３１】
第１レール３０Ｂの両端部には、接続部材３３，３３’が接続されており、接続部材３３，３３のガイド部３３ｄ，３３ｄ間の寸法は、間仕切パネル２の上端部２ｄに連結される吊支部材４，４間の寸法と略同一となっている。また、左右一対の第２レール３１，３１のガイド部３１ｄ，３１ｄ間の寸法についても、間仕切パネル２の上端部２ｄに連結される吊支部材４，４間の寸法と略同一となっており、第３レール３２，３２についても同様である。
【００３２】
これらの寸法関係により、吊支部材４は、第１レール３０と、第２レール３１，３１との間を移乗することができるようになっている。尚、本実施例において、吊支部材４は、第３レール３２に移乗されることはない。
【００３３】
次いで、間仕切パネル２について、図２，３，６〜８を用いて説明する。図２，３に示されるように、間仕切パネル２は、正面視略長方形状のパネル本体２ａと、パネル本体２ａの上端部２ｄに取付けられる吊支部材４，４と、から主に構成されている。尚、図８においては、間仕切パネル２，２，２を収納移送する順番に、間仕切パネル２Ａ，２Ｂ，２Ｃとして記載している。
【００３４】
まず、間仕切パネル２のうち、パネル本体２ａについて説明する。尚、説明の都合上、パネル本体２ａの側端部のうち正面視右側を右側端部２ｂ、正面視左側を左側端部２ｃ、上面視前側を前面部２０（パネル面）、後方を後面部２５（パネル面）、として説明する。
【００３５】
前，後面部２０，２５は、上端部２ｄ側において左右方向に延設された上面視略等脚台形状の突出部２１，２６（詳しくは、図２，３参照）を備えており、間仕切パネル２の後側に位置する後面部２５の突出部２６は、間仕切パネル２の前側に位置する前面部２０の突出部２１よりも上方に配設されている（図８参照）。
【００３６】
前面部２０の突出部２１は、左右方向の端部が中央に向かって前面部２０から漸次突出するテーパ面２２，２２（図２，６参照）と、テーパ面２２，２２と左右方向に連続し前面部２０と略平行な突出面２３と、から構成されている。前面部２０の突出部２１は、左右方向に連続して延設されていることから一体感があり、見栄えがよい。尚、後面部２５の突出部２６については、図７に示されるように、テーパ面２７，２７と、突出面２８と、を備えており、配設された位置を除いて略同一構成であるため、説明を省略する。
【００３７】
突出部２１，２６は、詳しくは後述するが、収納室Ｘに対して間仕切パネル２を搬入・搬出可能な前後一対のローラユニット５０，５５，…により、前後から挟圧可能に形成されている。詳しくは、前面部２０の突出部２１がローラユニット５０，５０’に当接（図６（ｂ）参照）し、後面部２５の突出部２６がローラユニット５５，５５’に当接（図７（ｂ）参照）する。
【００３８】
図７，８に示されるように、間仕切パネル２の後面部２５には、垂直方向に軸支される複数のローラ２９ａ，２９ａ，…を備えるローラ部２９が、後面部２５の突出部２６の下方に複数配設されている。このローラ部２９のローラ２９ａ，２９ａ，…の後端部は、後面部２５の突出部２６の突出面２８と略同一面状に位置している。
【００３９】
また、ローラ部２９は、隣接する間仕切パネル２の前面部２０の突出部２１の突出面２３の上下方向略中央部に接触可能（図８参照）となっている。
【００４０】
次いで、間仕切パネル２のうち、吊支部材４について、図２，３，６（ａ），７（ａ），８を用いて説明する。図２に示されるように、吊支部材４は、上面視略正方形状の箱状に形成された本体部４５と、本体部４５の前後左右それぞれの側端部の略中央にボルト４３によって略水平に軸支される走行ローラ４０，４０，…と、本体部４５の上端部の各角部にボルト４４によって本体部４５の上端部に対して略垂直に軸支されるガイドローラ４１，４１，…（図６（ａ），７（ａ）参照）と、本体部４５の上面視略中央から下方に突出し間仕切パネル２の上端部２ｄに連結される軸状の連結杆４２（図８参照）と、から主に構成されている。
【００４１】
尚、説明の都合上、走行ローラ４０，４０，…のうち、前後一対に配設されるものを走行ローラ４０Ａ，４０Ａ（図８参照）、左右一対に配設されるものを走行ローラ４０Ｂ，４０Ｂ（図７（ａ）参照）として説明することもある。
【００４２】
また、連結杆４２は、レールユニット３の下向き開口部３０ａ，３１ａ，３２ａ，３３ａに対して挿通可能（詳しくは、図８参照）に形成されている。
【００４３】
走行ローラ４０は、本体部４５の下端部より下方に突出するように形成・軸支されており、吊支部材４に連結された間仕切パネル２を移動させる際に、前後一対の走行ローラ４０Ａ，４０Ａは、第１レール３０および接続部材３３，３３’に沿ってレール部３０ｂ，３３ｂ，…上を走行可能であり、左右一対の走行ローラ４０Ｂ，４０Ｂは、左右一対の第２レール３１，３１および接続部材３３，３３’に沿ってレール部３１ｂ，３３ｂ…上を走行可能となっている。
【００４４】
また、走行ローラ４０は、前後一対の走行ローラ４０Ａ，４０Ａが第１レール３０および接続部材３３，３３’のレール部３０ｂ，３３ｂ，…上を走行する際に、左右一対の走行ローラ４０Ｂ，４０Ｂが第１レール３０および接続部材３３，３３’の下向き開口部３０ａ，３３ａ上に位置する（詳しくは、図８参照）ため走行の妨げになり難い。
【００４５】
また、吊支部材４は、直接の図示は省略するが、接続部材３３の下向き開口部３３ａの略中央部（上面視略十字状に形成された下向き開口部３３ａの交点部分）に位置すると、レール部３３ｂ，３３ｂ，…それぞれの端部間によって支持された状態（以降、「下向き開口部３３ａに略挿嵌された状態」または「移送可能状態」とする）となり、移動方向を切替可能な位置（以降、「収納基準位置」とする）に位置決めされやすい。従って、いずれの走行ローラ４０Ａ，４０Ｂも移送可能状態であるときは、走行ローラ４０，４０に対して所望の進行方向に力を加えることで、走行ローラ４０，４０は下向き開口部３３ａに略挿嵌された状態から脱し、接続部材３３，３３’から第１レール３０または第２レール３１，３１に移送される。
【００４６】
これらにより、吊支部材４は、レールユニット３の接続部材３３において移動方向を切り替えることができる。
【００４７】
ガイドローラ４１，４１，…間には、レールユニット３の各ガイド部３０ｄ（図３参照），３１ｄ，３２ｄ，３３ｄを挿嵌可能となっており、吊支部材４に連結された間仕切パネル２を移動させる際に、ガイドローラ４１，４１，…が各ガイド部３０ｄ，３１ｄ，３２ｄ，３３ｄに当接することで間仕切パネル２を進行方向に案内させるとともに、間仕切パネル２の揺れや傾きを防ぐことができる。
【００４８】
次いで、収納・取出機構Ｓの構成について図２を用いて説明する。収納・取出機構Ｓは、収納室Ｘ内において第１レール３０Ａを挟んで取付けられた前後一対のローラユニット５０，５５，５０’，５５’と、一対のローラユニット５０，５５の前方に配設される第１移動手段６と、第３レール３２に配設される収納移送手段７と、第２レール３１に配設される取出移送手段８と、第１レール３０の一方の端部に配設される第２移動手段９と、から主に構成されており、出入口Ｅを介して収納室Ｘ内外に間仕切パネル２を進退させて収納・取出可能となっている。
【００４９】
まず、収納・取出機構Ｓのうち、前後一対のローラユニット５０，５５，５０’，５５’について説明する。図３に示される、ローラユニット５０，５５，５０’，５５’をそれぞれ回動させることで、間仕切パネル２を収納室Ｘ内に搬送することができる。また、ローラユニット５０，５５，５０’，５５’を逆方向に回動させることで、間仕切パネル２を収納室Ｘ外方へ搬送することができる。
【００５０】
次いで、収納・取出機構Ｓのうち、第１移動手段６について図１０を参照して説明する。第１移動手段６は、ローラユニット５０，５５，によりその右側端部２ｂがローラユニット５０，５５の位置まで搬送された間仕切パネル２を更に奥側まで移動させるものである。図１０（ｂ），（ｃ）に示されるように、第１移動手段６は、間仕切パネル２の右側端部２ｂを上面視左側へ押動することにより、間仕切パネル２をその吊支部材４，４がそれぞれレールユニット３の接続部材３３，３３’の下向き開口部３３ａ，３３ａ’に位置する移送可能状態まで移動させる。
【００５１】
次いで、収納・取出機構Ｓのうち、収納移送手段７の構造について図４，８，９を用いて説明する。図４に示されるように、収納移送手段７は、電動シリンダ７０と、上面視略上向きコ字状の移送ユニット７３と、電動シリンダ７０が取付けられた設置ユニット７７と、上面視略コ字状に形成されたフレーム部材７４と押動ローラ７６，７６とから成る移送ユニット７３に接続され第３レール３２，３２内を移動する案内部１１Ａ，１１Ａと、から主に構成されている。
【００５２】
電動シリンダ７０は、一対の脚部７２，７２と、電動シリンダ７０の左右方向に突出する軸部７０ａ，７０ａと、を備え、脚部７２，７２は、略上端部に軸部７０ａ，７０ａを軸支している。
【００５３】
設置ユニット７７は、図示しない吊支部材により、天井部Ｃに吊支・固定されている。これにより、収納移送手段７は、移送ユニット７３の進出動作または後退動作の際に、間仕切パネル２の前面部２０の突出部２１に対して略垂直に進出動作または後退動作を行うことができる（図８参照）。
【００５４】
フレーム部材７４は、左右方向に長尺な基部７４ａと、基部７４ａの左右端部側取付けられた前後方向に延びる腕部７４ｂと、７４ｂと、からなり、取出移送手段８と対向する腕部７４ｂ，７４ｂの端部には、略水平方向に回動可能に軸支された押動ローラ７６，７６が取付けられている。
【００５５】
また、フレーム部材７４は、基部７４ａの前端部略中央に設けられた接続部７４ｃにボルト７４ｄと図示しないナットを介して電動シリンダ７０のロッド７１の先端部７１ａが接続され、腕部７４ｂ，７４ｂの基部７４ａ側の上部に案内部１１Ａ，１１Ａの連結部材１２Ａ，１２Ａがそれぞれ接続されており、案内部１１Ａ，１１Ａを介して第３レール３２，３２に吊支されている。
【００５６】
図８，９に示されるように、案内部１１Ａは、側面視略凹字状に形成された一対の側部パネル１１ａ，１１ａと、上面視略正方形状の下部パネル１１ｂおよび上部パネル１１ｃと、から正面視長方形状の箱体に形成されている。
【００５７】
また、案内部１１Ａは、側部パネル１１ａ，１１ａの下方両端部にそれぞれ垂直方向に回動可能にボルト１３ａによって軸支される４つの走行ローラ１３，１３，…と、側部パネル１１ａ，１１ａの上方端部にそれぞれ垂直方向に回動可能に支軸１４ａによって軸支される４つの保護ローラ１４，１４，…と、上部パネル１１ｃの各角部近傍に水平方向に回動可能に支軸１５ａによって軸支されるガイドローラ１５，１５，…と、下部パネル１１ｂの下面に溶接により固定される上面視略コ字状の連結部材１２Ａと、から主に構成されている。尚、上面視において、保護ローラ１４，１４，…は、上部パネル１１ｃより前後方向に突出しており、保護ローラ１４，１４，…の略垂直下方に軸支される走行ローラ１３，１３，…も同様である。
【００５８】
走行ローラ１３，１３，…は、側部パネル１１ａおよび下部パネル１１ｂの下端部より下方に突出するように形成・軸支されており、案内部１１Ａに接続されたフレーム部材７４を第３レール３２に沿ってレール部３２ｂ上を走行可能である。
【００５９】
ガイドローラ１５，１５，…は、第３レール３２のガイド部３２ｄを挿嵌可能となっており、案内部１１Ａに接続されたフレーム部材７４を後述する進出動作または後退動作させる際に、ガイドローラ１５，１５，…がガイド部３２ｄに当接することでフレーム部材７４を進行方向に案内させるとともに、フレーム部材７４の揺れや左右方向の傾きを防ぐことができる。
【００６０】
保護ローラ１４，１４，…は、案内部１１Ａに接続されたフレーム部材７４を進出動作または後退動作させる際に、案内部１１Ａが前後方向に傾くような力が働いた場合、保護ローラ１４，１４，…が第３レール３２の天井部３２ｃに当接し回動することで、フレーム部材７４の走行の安定性を図っている。
【００６１】
これらにより、案内部１１Ａは、第３レール３２，３２に沿って移動可能となっている。
【００６２】
移送ユニット７３は、設置ユニット７７に取付けられた電動シリンダ７０と略水平となる様に形成されている。
【００６３】
次いで、収納移送手段７の動作について、図４，８，１１（ａ）〜（ｃ）を用いて説明する。図１１（ａ）〜（ｃ）に示されているように、収納移送手段７は、電動シリンダ７０のロッド７１の先端部７１ａが、電動シリンダ７０側から取出移送手段８側へ進出することで、移送ユニット７３を取出移送手段８側へ進出動作させることができる。
【００６４】
また、収納移送手段７は、移送ユニット７３を取出移送手段８側へ所定距離を進出動作させた後、電動シリンダ７０のロッド７１が取出移送手段８側から電動シリンダ７０側へ後退することで、移送ユニット７３を電動シリンダ７０側へ後退動作させることができる。
【００６５】
また、収納移送手段７は、案内部１１Ａ，１１Ａが左右方向において略直線状に配置され、かつ、第３レール３２，３２は互いに略平行であるため、一つの電動シリンダ７０の駆動による進出動作および後退動作によって、左右方向に離間して配設される２点の押動ローラ７６，７６は第１レール３０に対して前後方向略垂直に進出動作および後退動作を行うことができる。
【００６６】
また、図４に示される、収納移送手段７は、駆動していない状態であり（この状態を「待機状態」とする）、このとき移送ユニット７３の押動ローラ７６，７６は、間仕切パネル２の前面部２０の突出部２１の突出面２３に当接している（図８参照）。
【００６７】
これにより、間仕切パネル２が第１レール３０に沿って移動する場合に収納移送手段７と接触しても間仕切パネル２の前面部２０に傷が形成され難く、図１１（ａ）に示したように、間仕切パネル２の収納移送時に収納移送手段７が接触することで間仕切パネル２の前面部２０に打痕が形成されることを防ぐことができる。さらに、後述する間仕切パネル２の収納移送時に、収納移送手段７が間仕切パネル２に略接触した状態で間仕切パネル２を押動することができるため、間仕切パネル２の厚み方向に揺れが生じることを防ぐことができる。
【００６８】
次いで、収納・取出機構Ｓのうち、取出移送手段８について図５，８を参照して説明する。図５に示されるように、取出移送手段８は、駆動ユニット８０と、移送ユニット８３と、設置ユニット８７と、案内部１１Ｂ，１１Ｂ、から主に構成されている。移送ユニット８３は、フレーム部材８４の腕部８４ｂ，８４ｂそれぞれの前後寸法が収納移送手段７の腕部７４ｂ，７４ｂそれぞれの前後寸法よりも短尺に形成されている。
【００６９】
また、移送ユニット８３は、基部８４ａの左右両端部に、後述する連結ローラチェーン８２，８２が接続されている。尚、移送ユニット８３は、それ以外の構成が移送ユニット７３と略同一構成であるため説明を省略する。
【００７０】
また、取出移送手段８の案内部１１Ｂは、取出移送手段８の案内部１１Ｂの連結部材１２Ｂが収納移送手段７の案内部１１Ａの連結部材１２Ａよりも上下方向に短尺に形成されているため、押動ローラ８６，８６は間仕切パネル２の後面部２５の突出部２６と当接可能となっている。尚、取出移送手段８の案内部１１Ｂは、それ以外の構成が収納移送手段７の案内部１１Ａと略同一構成であるため説明を省略する。
【００７１】
設置ユニット８７は、図示しない吊支部材によって、レールユニット３の上方に吊支・固定される矩形状のフレーム８７ａから主に構成されており、フレーム８７ａは、フレーム８７ａの前後方向略中央部の左右方向に亘り架設される横架部材８７ｂと、駆動ユニット８０のモータ８１を架設・固定される載置台８７ｃと、を備えている。
【００７２】
また、フレーム８７ａには、フレーム８７ａの枠内前方の左右方向に亘り取付けられる回動可能なシャフト８８と、フレーム８７ａの枠内後方において左右端部にそれぞれ取付けられる対向する一対のギヤ８９ｃ，８９ｃ’と、フレーム８７ａの枠内前後方向略中央に取付けられる対向する一対の押圧ギヤ８９ｄ，８９ｄ’と、を備えている。尚、後述するギヤ８９ｂ、ギヤ８９ｃ、および押圧ギヤ８９ｄは、上面視において左側に配設されている。
【００７３】
シャフト８８は、シャフト８８の左右方向略中央部に固定される受動ギヤ８９ａと、シャフト８８の左右両端部に固定される対向する一対のギヤ８９ｂ，８９ｂ’と、を備えている。
【００７４】
駆動ユニット８０は、図示しない制御装置によって回転方向が制御されるモータ８１と、無端状のローラチェーン８１ｂと、無端状に形成された連結ローラチェーン８２，８２と、によって主に構成されている。
【００７５】
詳しくは図８に示されるように、連結ローラチェーン８２は、有端状のローラチェーン８２ｂの両端部が連結部材８２ａに連結されることで無端状に形成されており、連結部材８２ａは、基部８４ａの左右両端部に図示しないボルトナットにより固定される。
【００７６】
ローラチェーン８１ｂは、モータ８１の回転軸ギヤ８１ａと、シャフト８８の受動ギヤ８９ａとに噛合されている。これにより、シャフト８８はモータ８１の回転を受けて回転することができる。
【００７７】
詳しくは図８に示されるように、連結ローラチェーン８２は、ローラチェーン８２ｂがギヤ８９ｂ，８９ｃに亘って噛合されており、垂直方向に回動可能となっている。このとき、連結部材８２ａは、ギヤ８９ｂ，８９ｃに亘って噛合されるローラチェーン８２ｂのうち、ギヤ８９ｂ，８９ｃの下方に位置している。
【００７８】
また、連結ローラチェーン８２は、詳しくは、図８に示されるように、ギヤ８９ｂ，８９ｃの略中央部において、ギヤ８９ｂ，８９ｃに亘って噛合されるローラチェーン８２ｂのうちギヤ８９ｂ，８９ｃの上方に位置するローラチェーン８２ｂが押圧ギヤ８９ｄの下端部と噛合している。押圧ギヤ８９ｄは、ギヤ８９ｂ，８９ｃの上端部より下方に押圧ギヤ８９ｄの下端部が位置しているため、連結ローラチェーン８２を下方に押圧しており、連結ローラチェーン８２の張力を調整している。尚、図８においては、ギヤ８９ｂ’，８９ｄ’のみを図示している。
【００７９】
また、連結ローラチェーン８２は、ギヤ８９ｂに嵌合しているため、モータ８１の回転を受けて回転するシャフト８８の回転により垂直方向に回動することができる。
【００８０】
尚、ギヤ８９ｂ’、ギヤ８９ｃ’、および押圧ギヤ８９ｄ’は、ギヤ８９ｂ、ギヤ８９ｃ、および押圧ギヤ８９ｄと、対向して配置されていること以外はギヤ８９ｂ、ギヤ８９ｃ、および押圧ギヤ８９ｄと略同一構成であるため説明を省略する。
【００８１】
また、上述のとおり、連結ローラチェーン８２，８２の連結部材８２ａ，８２ａは、移送ユニット８３の基部８４ａの左右両端部に接続されているため、連結ローラチェーン８２，８２の回動に従動させて移送ユニット８３を後述する進出動作および後退動作させることができる。
【００８２】
次いで、取出移送手段８の動作について、図１１（ａ），１３（ｃ）を用いて説明する。取出移送手段８は、図１３（ｃ）に示されるように、図示しない制御装置により、モータ８１を左側面視において反時計回りに回転させることで、ローラチェーン８１ｂによりシャフト８８も反時計回りに回動し、シャフト８８のギヤ８９ｂ，８９ｂに噛合される連結ローラチェーン８２，８２が反時計回りに回動する。このとき、連結ローラチェーン８２の連結部材８２ａ，８２ａは、ローラチェーン８２ｂの回動により前方に向かって移動するため、連結部材８２ａ，８２ａに接続される移送ユニット８３を前方に向かって進出動作させることができる。
【００８３】
また、取出移送手段８は、図１１（ａ）に示されるように、図示しない制御装置により、モータ８１を左側面視において時計回りに回転させることで、ローラチェーン８１ｂによりシャフト８８も時計回りに回動し、シャフト８８のギヤ８９ｂ，８９ｂに噛合される連結ローラチェーン８２，８２が時計回りに回動する。このとき、連結ローラチェーン８２の連結部材８２ａ，８２ａは、ローラチェーン８２ｂの回動により後方に向かって移動するため、連結部材８２ａ，８２ａに接続される移送ユニット８３を後方に向かって後退動作させることができる。
【００８４】
また、取出移送手段８は、収納移送手段７の案内部１１Ａ，１１Ａ同様に、案内部１１Ｂ，１１Ｂにより、左右方向に離間して配設される２点の押動ローラ８６，８６も第１レール３０に対して水平方向において略平行のまま、第１レール３０Ａに対して前後方向略垂直に進出動作および後退動作を行うことができる。
【００８５】
次いで、収納・取出機構Ｓのうち、第２移動手段９について図７，８を参照して説明する。第２移動手段９は、上下方向においてレール３０Ｂ，３２…等より下方に配設され、収納基準位置に配置される間仕切パネル２の左側端部２ｃを室内空間Ｙ側に向けて押圧することができる。
【００８６】
これまで、移動間仕切装置１の構造について説明してきたが、これより収納・取出機構Ｓによる間仕切パネル２の収納・取出について説明する。まずは、間仕切パネル２の収納について、図２，８，１０〜１２を用いて説明する。
【００８７】
間仕切りとして使用している複数の間仕切パネル２，２，…を収納室Ｘに収納する際には、図示は省略するが複数の間仕切パネル２，２，…の連接を解除した後、収納室Ｘ側に配設されている間仕切パネル２Ａから順に手動により第１レール３０に沿って室内空間Ｙから出入口Ｅ（図１参照）を介して収納室Ｘ内に移動させる。
【００８８】
さらに、手動にて間仕切パネル２をローラユニット５０’，５５’間に押し込むと、図１０（ａ），（ｂ）に示されるように、間仕切パネル２の突出部２１，２６は送りローラ５２，５２’，５７，５７’によって挟持された状態となり、ローラユニット５０，５０’，５５，５５’により間仕切パネル２を上面視左側に搬送することができる。
【００８９】
図１０（ｃ）に示されるように、ローラユニット５０，５５による搬送が終了した間仕切パネル２Ａは、第１移動手段６によって間仕切パネル２Ａの右側端部２ｂ（図２参照）が上面視左側へ押動され、間仕切パネル２Ａの吊支部材４，４が接続部材３３，３３’の下向き開口部３３ａ，３３ａ’に略挿嵌され、収納基準位置に案内された状態となる。
【００９０】
図１０（ａ）〜（ｃ）に示されるように、間仕切パネル２Ａは、ローラユニット５０，５５，…および第１移動手段６により収納基準位置に搬送・押動・案内される際に、収納移送手段７および取出移送手段８の押動ローラ７６，８６，…は第１レール３０を中心に間仕切パネル２の略厚み寸法分離間した状態で待機しているため、間仕切パネル２Ａの前面部２０（図２参照）の突出部２１が押動ローラ７６，７６に、間仕切パネル２Ａの後面部２５（図２参照）の突出部２６が押動ローラ８６，８６に、それぞれ略当接する。
【００９１】
このとき、押動ローラ７６，８６，…は、水平方向に回動可能であることから、間仕切パネル２Ａとの間に発生する摩擦が少ないため、間仕切パネル２Ａを収納基準位置に円滑に移動させることができる。また、間仕切パネル２Ａは、押動ローラ７６，８６，…に略当接した状態で収納基準位置に搬送・押動・案内されるため、収納基準位置においても略当接状態となっている。
【００９２】
このように、第１レール３０に沿って間仕切パネル２Ａの収納基準位置への搬送・押動・案内がなされるため、収納基準位置における間仕切パネル２Ａの前後方向の位置合わせを確実に行うことができる。
【００９３】
図１１（ａ），（ｂ）に示されるように、収納移送手段７は、間仕切パネル２Ａが収納基準位置に案内されると進出動作を開始し、電動シリンダ７０がロッド７１を進出させる。このとき、収納移送手段７の押動ローラ７６，７６は、間仕切パネル２Ａの前面部２０の突出部２１に略当接した状態から間仕切パネル２Ａを第２レール３１，３１および接続部材３３，３３’に沿って後方に押動するため、間仕切パネル２Ａの揺れの発生を抑えやすい。また、前面部２０の突出部２１は、吊支部材４，４の近傍に形成されているため、収納移送手段７の進出動作により押動されても、間仕切パネル２が厚み方向において傾斜し難い。
【００９４】
また、収納移送手段７は、第３レール３２，３２に沿って移動可能な一対の案内部１１Ａ，１１Ａにより押動ローラ７６，７６が間仕切パネル２Ａに略垂直に当接した状態で略同時に間仕切パネル２Ａを押動するため、押動される間仕切パネル２Ａが水平方向に傾き難くいことから、第２レール３１，３１への収納移送を安定して行うことができる。さらに、案内部１１Ａ，１１Ａにより収納移送手段７の上下の移動も規制されているため、間仕切パネル２Ａの前面部２０の突出部２１から押動ローラ７６，７６が上下方向に離間しない。
【００９５】
取出移送手段８は、間仕切パネル２Ａが収納基準位置に案内されると収納移送手段７の進出動作と略同時にモータ８１が左側面視時計回りに回転を始め、後退動作を開始する。このときの取出移送手段８の押動ローラ８６，８６および案内部１１Ｂ，１１Ｂは、押動ローラ８６，８６が間仕切パネル２Ａの後面部２５の突出部２６に略当接し、案内部１１Ｂ，１１Ｂが第２レール３１，３１内を移動すること以外は、このときの収納移送手段７の押動ローラ７６，７６および案内部１１Ａ，１１Ａと略同一であるため、説明を省略する。
【００９６】
間仕切パネル２Ａは、収納移送手段７および取出移送手段８の押動ローラ７６，８６，…に略当接されたまま、収納移送手段７の進出動作によって後方に押動されるため、収納移送の際の振動の発生が小さい。
【００９７】
図１１（ｂ）に示されるように、収納移送手段７は、電動シリンダ７０がロッド７１を間仕切パネル２の略厚み寸法分進出させて、間仕切パネル２Ａを第２レール３１，３１に収納移送する。その後、後退動作を行い、間仕切パネル２の略厚み寸法分後退した位置でモータ８１の回転が停止し、待機状態（図１１（ｃ）参照）となる。尚、間仕切パネル２の後面部２５の突出部２６は、取出移送手段８の押動ローラ８６，８６に略当接したままとなっている。
【００９８】
次いで、間仕切パネル２Ａの後に収納される間仕切パネル２Ｂの収納について説明する。尚、間仕切パネル２Ｂの収納基準位置までの移動・搬送・押動・案内については、間仕切パネル２Ａと略同一であるため、説明を省略する。さらに尚、間仕切パネル２Ｃについても同様である。
【００９９】
図１２（ａ），（ｂ）に示されるように、間仕切パネル２Ｂは、ローラユニット５０，５５，…および第１移動手段６により収納基準位置に搬送・押動・案内される際に、収納移送手段７の押動ローラ７６，７６と、間仕切パネル２Ａの前面部２０の突出部２１とが間仕切パネル２の略厚み寸法分離間かつ第１レール３０を挟んだ状態で待機しているため、間仕切パネル２Ｂの前面部２０の突出部２１が押動ローラ７６，７６に、間仕切パネル２Ｂのローラ部２９，２９，…（図８参照）が間仕切パネル２Ａの前面部２０の突出部２１に略当接する。
【０１００】
尚、間仕切パネル２Ａは、取出移送手段８の押動ローラ８６，８６に略当接しているため、間仕切パネル２Ｂが間仕切パネル２Ａに略当接し、後方に押圧するような力が間仕切パネル２Ａに作用しても、間仕切パネル２Ａを取出移送手段８が支持しているため、間仕切パネル２Ａの後方への移動や前後方向に揺れること等を防止している。これにより、間仕切パネル２Ｂは、間仕切パネル２Ａに当接しても揺れが発生し難い。言い換えれば、取出移送手段８によって間接的に間仕切パネル２Ｂも支持・案内されている。
【０１０１】
図１２（ｂ），（ｃ）に示されるように、収納移送手段７は、間仕切パネル２Ｂが収納基準位置に案内されると進出動作を開始し、電動シリンダ７０がロッド７１を進出させる。
【０１０２】
これにより、間仕切パネル２Ｂは、先に収納された間仕切パネル２Ａとともに、収納移送手段７および取出移送手段８の押動ローラ７６，８６，…に略当接されたまま、収納移送手段７の進出動作によって第２レール３１，３１に押動・収納移送されるため、収納移送の揺れが小さい。
【０１０３】
間仕切パネル２Ａ，２Ｂ，２Ｃのうち、最後に収納基準位置へ案内される間仕切パネル２Ｃは、直接の図示は省略するが、収納基準位置に間仕切パネル２Ｃが案内されることで、図２，８と同様に、すべての間仕切パネル２Ａ，２Ｂ，２Ｃが収納室Ｘ内に配置される（以降、この状態を「収納完了状態」とする）。
【０１０４】
図８に示されるように、収納が完了した間仕切パネル２Ａ，２Ｂ，２Ｃは、収納完了状態において、収納移送手段７および取出移送手段８により前後から略当接された状態、かつ、間仕切パネル２Ａ，２Ｃに挟まれる間仕切パネル２Ｂが前後方向において間仕切パネル２Ａ，２Ｃに略当接した状態であるため、前後方向に揺れ難くなっている。そのため、移動間仕切装置１は、間仕切パネル２，２，…を収納完了状態とすることで、間仕切パネル２，２，…を安全に保管することができる。
【０１０５】
次いで、間仕切パネル２の取出について、図２，８，１３，１４を用いて説明する。尚、間仕切パネル２の取出について説明するにあたり、例えば図２のように、収納完了状態の間仕切パネル２Ａ，２Ｂ，２Ｃを例に説明を行う。
【０１０６】
収納完了状態にある間仕切パネル２Ａ，２Ｂ，２Ｃのうち、収納基準位置に配置されている間仕切パネル２Ｃの左側端部２ｃ（図２参照）を、図１３（ａ）に示されるように、第２移動手段９の進出動作によって、上面視右側へと押動させる。
【０１０７】
このとき、第２レール３１，３１には、間仕切パネル２Ａ，２Ｂが収納された状態であり、間仕切パネル２Ａの後面部２５の突出部２６には取出移送手段８の押動ローラ８６，８６が略当接した状態であるため、先述した間仕切パネル２の収納時と同様に、取出移送手段８が間仕切パネル２Ａ，２Ｂを支持している。
【０１０８】
これにより、間仕切パネル２Ｃは、ローラ部２９，２９，…（図８参照）が間仕切パネル２Ｂの前面部２０の突出部２１に略当接し、間仕切パネル２Ｃの前面部２０の突出部２１が待機状態の収納移送手段７の押動ローラ７６，７６に略当接した状態であるため、間仕切パネル２Ｂの前面部２０の突出部２１および収納移送手段７の押動ローラ７６，７６に支持・案内される。このため、第２移動手段９の進出動作により、間仕切パネル２Ｃを第１レール３０に沿って確実に移動させることができる。尚、後述するローラユニット５０，５５，…による第１レール３０に沿った上面視右側への搬送についても略同一に案内している。
【０１０９】
第２移動手段９に押動され第１レール３０に沿って移動する間仕切パネル２Ｃは、ローラユニット５０，５５の送りローラ５２，５７に略挟持される。
【０１１０】
ローラユニット５０，５５は、第２移動手段９の進出動作と略同時に、ローラユニット５０の送りローラ５２が時計回りに、ローラユニット５５の送りローラ５７が反時計回りに、それぞれ回転しており、図１３（ｂ），（ｃ）に示されるように、略挟持した間仕切パネル２Ｃを上面視右側へと搬送することができる。
【０１１１】
図１３（ｃ）に示されるように、ローラユニット５０’，５５’から間仕切パネル２Ｃが離間すると、取出移送手段８のモータ８１が左側面視反時計回りに回転を始め、進出動作を開始する。尚、間仕切パネル２Ｃは、ローラユニット５０’，５５’から離間し、収納室Ｘから取出された後、手動によって所定の位置まで移動される。
【０１１２】
取出移送手段８の押動ローラ８６，８６は、間仕切パネル２Ａの後面部２５の突出部２６に略当接した状態から間仕切パネル２Ａおよび間仕切パネル２Ａの前面部２０の突出部２１にローラ部２９，２９，…（図８参照）が略当接する間仕切パネル２Ｂを第２レール３１，３１および接続部材３３，３３’に沿って前方に押動するため、間仕切パネル２Ａ，２Ｂの揺れの発生を抑えやすい。また、後面部２５の突出部２６は、吊支部材４，４の近傍に形成されているため、取出移送手段８の進出動作により押動されても、間仕切パネル２Ａが前後方向に傾斜し難い。
【０１１３】
また、取出移送手段８は、案内部１１Ｂ，１１Ｂにより押動ローラ８６，８６が間仕切パネル２Ａに略垂直に当接した状態で略同時に間仕切パネル２Ａおよび間仕切パネル２Ａに略当接する間仕切パネル２Ｂを押動するため、押動される間仕切パネル２Ａ，２Ｂが水平方向に回動し難くいことから、接続部材３３，３３’への取出移送を安定して行うことができる。さらに、案内部１１Ｂ，１１Ｂによって、取出移送手段８の水平方向における上下の移動も規制されているため、間仕切パネル２Ａの後面部２５の突出部２６から押動ローラ８６，８６が上下方向に離間しない。
【０１１４】
図１４に示されるように、取出移送手段８は、モータ８１が移送ユニット８３を間仕切パネル２の略厚み寸法分進出させるとモータ８１の回転が停止し、間仕切パネル２Ａおよび間仕切パネル２Ｂの押動を終え待機状態となる。このとき、間仕切パネル２Ｂは、収納基準位置に取出移送され、吊支部材４，４が接続部材３３，３３’の下向き開口部３３ａ，３３ａ’に略遊嵌されており、間仕切パネル２Ｂの前面部２０の突出部２１が収納移送手段７の押動ローラ７６，７６に略当接し、間仕切パネル２Ｂのローラ部２９が間仕切パネル２Ａの前面部２０の突出部２１に略当接したままとなっている。尚、間仕切パネル２Ａの後面部２５の突出部２６は、取出移送手段８の押動ローラ８６，８６に略当接したままとなっている。
【０１１５】
これ以降の間仕切パネル２Ｂの収納室Ｘからの取出については、間仕切パネル２Ｃと略同一であるため、説明を省略する。尚、最後に収納室Ｘから取出される間仕切パネル２Ａは、取出移送手段８の押動ローラ８６，８６に後面部２５の突出部２６が略当接し、収納移送手段７の押動ローラ７６，７６に前面部２０の突出部２１が略当接しているため、第２移動手段９およびローラユニット５０，５５，…による押動・搬送の際には、取出移送手段８および収納移送手段７の押動ローラ８６，７６，…により第１レール３０に案内される。
【０１１６】
これまで説明してきたように、本実施例における移動間仕切装置１は、図５に示されるように、取出移送手段８の移送ユニット８３は、駆動ユニット８０の駆動により作動する際に案内部１１Ｂ，１１Ｂによりその移動を第２レール３１，３１に沿って案内され、移送ユニット８３が第２レール３１，３１に沿って正確に移動するとともに、収納室Ｘにおいて間仕切パネル２と取出移送手段８の移送ユニット８３の移動が共通の第２レール３１，３１に沿って案内されるため、間仕切パネル２を第２のレール３１、３１に沿って安定して移動させることができる。
【０１１７】
また、間仕切パネル２と取出移送手段８の移送ユニット８３は、共通の第２レール３１，３１に沿って案内されることから、それぞれが案内されるレールを設ける必要が無いため、部材点数を減らせることができる。
【０１１８】
また、図４に示されるように、収納移送手段７の移送ユニット７３は、電動シリンダ７０の駆動により作動する際に案内部１１Ａ，１１Ａによりその移動を第３レール３２，３２に沿って案内され、移送ユニット７３が第３レール３２，３２に沿って正確に移動するとともに、収納室Ｘにおいて間仕切パネル２と収納移送手段７の移送ユニット７３の移動が略一体に接続された第２，第３レール３１，３２，…および接続部材３３，３３’に沿って案内されるため、間仕切パネル２を第２レール３１，３１に沿って安定して移動させることができる。尚、第２，第３レール３１，３２，…および接続部材３３，３３’が一体形成されたレール上で、間仕切パネル２と収納移送手段７の移送ユニット７３の移動が行われてもよい。
【０１１９】
収納移送手段７および取出移送手段８の案内部１１Ａ，１１Ｂが第２，第３レール３１，３２内を移動する際に、走行ローラ１３，１３，…（図９参照）がレール部３１ｂ，３２ｂに対して収納移送手段７および取出移送手段８の荷重を支持しながら転動するとともに、案内部１１Ａ，１１Ｂ，…の上部に配置される保護ローラ１４，１４，…が天井部３１ｃ，３２ｃに対して転動することにより、案内部１１Ａ，１１Ｂの上方への浮き上がり等の上下方向のガタつきを抑えながら案内部１１Ａ，１１Ｂを第２，第３レール３１，３２に沿って滑らかに移動させることができるため、間仕切パネル２を第２レール３１，３１に沿ってより安定して移動させることができる。
【０１２０】
収納移送手段７および取出移送手段８の案内部１１Ａ，１１Ｂが第２，第３レール３１，３２内を移動する際に、ガイドローラ１５，１５，…（図９参照）が第２，第３レール３１，３２のガイド部３１ｄ，３２ｄの側面に対して転動することにより、案内部１１Ａ，１１Ｂの移動がガイドされて水平方向のぐらつきが抑えられるため、収納移送手段７および取出移送手段８の移送ユニット７３，８３を第２，第３レール３１，３２，…に沿ってより正確に移動させることができる。
【０１２１】
取出移送手段８の移送ユニット８３は、モータ８１の駆動により作動する際に案内部１１Ｂ，１１Ｂによりその移動を第２レール３１，３１に沿って案内され、間仕切パネル２を吊支する一対の吊支部材４，４の各第２レール３１，３１に対する傾きが抑えられるため、一対の吊支部材４，４により吊支される間仕切パネル２を第２レール３１，３１に沿って厚み方向に安定して移動させることができる。
【０１２２】
また、収納移送手段７の移送ユニット７３は、電動シリンダ７０の駆動により作動する際に案内部１１Ａ，１１Ａによりその移動を第３レール３２，３２に沿って案内され、間仕切パネル２を吊支する一対の吊支部材４，４の各第２レール３１，３１に対する傾きが抑えられるため、一対の吊支部材４，４により吊支される間仕切パネル２を第２レール３１，３１に沿って厚み方向に安定して移動させることができる。
【０１２３】
取出移送手段８の移送ユニット８３は、モータ８１の駆動により作動する際に案内部１１Ｂ，１１Ｂによりその移動を第１レール３０に対して交差部３５，３５’において交差する第２レール３１，３１に沿って案内され、移送ユニット８３が第２レール３１，３１に沿って正確に移動するため、間仕切パネル２を第２レール３１，３１に沿って厚み方向に安定して移動させて第２レール３１，３１から第１レール３０へ取出移送することができる。
【０１２４】
また、収納移送手段７の移送ユニット７３は、電動シリンダ７０の駆動により作動する際に案内部１１Ａ，１１Ａによりその移動を第３レール３２，３２に沿って案内され、移送ユニット７３が第２レール３１，３１に沿って正確に移動するため、間仕切パネル２を第２レール３１，３１に沿って厚み方向に安定して移動させて第１レール３０から第２レール３１，３１へ収納移送することができる。
【０１２５】
また、第１レール３０を挟んで取出移送手段８と収納移送手段７が対向して配置され、取出移送手段８および収納移送手段７の移送ユニット８３，７３は、モータ８１および電動シリンダ７０の駆動により作動する際に各案内部１１Ａ，１１Ｂ，…によりその移動を交差部３５，３５’において第１レール３０に対して交差する第２レール３１，３１に沿ってそれぞれ案内され、それぞれの移送ユニット８３，７３は第２レール３１，３１に沿って正確に移動するため、間仕切パネル２を第２レール３１，３１に沿って厚み方向に安定して移動させて第１レール３０と第２レール３１，３１との間で取出移送および収納移送することができる。
【０１２６】
以上、本発明の実施例を図面により説明してきたが、具体的な構成はこれら実施例に限られるものではなく、本発明の要旨を逸脱しない範囲における変更や追加があっても本発明に含まれる。
【０１２７】
例えば、前記実施例では、間仕切パネル２は、収納室Ｘ外の室内空間Ｙにおいて手動により移動される態様として説明したが、これに限らず、自走可能な間仕切パネルであってもよい。
【０１２８】
また、収納移送手段７は、間仕切パネル２を押動する態様として説明したが、これに限らず、押動方向とは反対方向に間仕切パネル２を引張する態様であってもよい。この態様であれば、収納移送手段７のみで間仕切パネル２を収納移送および取出移送することができる。また、取出移送手段８についても同様である。
【０１２９】
また、収納移送手段７は、間仕切パネル２の前面部２０の突出部２１を押動する態様として説明したが、これに限らず、吊支部材４，４を押動する態様であってもよく、押動する箇所を突出部２１に限定するものではない。また、取出移送手段８についても同様である。
【０１３０】
また、収納移送手段７は、移送ユニット７３を備える態様として説明したが、これに限らず、電動シリンダ７０により直接間仕切パネル２を押動してもよく、複数の電動シリンダ７０を用いる態様や、第１移動手段６、取出移送手段８、第２移動手段９等を用いる態様であってもよく、収納移送手段７に限定するものではない。さらに、電動シリンダ７０ではなく、油圧シリンダや他のアクチュエータ等の往復動を行う駆動装置を用いてもよい。
【０１３１】
また、取出移送手段８は、シャフト８８を介すことでモータ８１が連結ローラチェーン８２，８２を回動させる態様として説明したが、これに限らず、複数のモータ８１により連結ローラチェーン８２，８２を直接回動させる態様や、第１移動手段６、収納移送手段７、第２移動手段９等を用いる態様であってもよく、収納移送手段７に限定するものではない。さらに、モータ８１ではなく、電動シリンダや他のアクチュエータ等の往復動を行う駆動装置を用いてもよい。
【０１３２】
また、収納移送手段７および取出移送手段８の案内部１１Ａ，１１Ｂは、第２，第３レール３１，３２内を移動する際に、ガイドローラ１５，１５，…が第２，第３レール３１，３２のガイド部３１ｄ，３２ｄの側面に対して転動する態様として説明したが、これに限らず、ガイドローラ１５，１５，…が第２，第３レール３１，３２の下向き開口部３１ａ，３２ａを構成するレール部３１ｂ，３１ｂ，３２ｂ，３２ｂに対して転動してもよい。
【０１３３】
また、間仕切パネル２は、吊支部材４，４を備える態様として説明したが、これに限らず、吊支部材４を一つ備える態様でもよく、３つ以上備える態様であってもよい。この態様の際には、交差部３５を吊支部材４の位置に併せて設置すればよいことから、間仕切パネルに合わせた構造の変更が容易である。
【０１３４】
また、交差部３５，３５’は、レール３０，３１，３２，…および接続部材３３，３３’により、上面視略十字状に形成されている態様として説明したが、これに限らず、異なる方向に配設されるレールが交差していればよい。この態様であれば、収納部の形状に合わせて構造を変更させることができる。
【０１３５】
また、突出部２１，２６は、左右方向に延設された態様として説明したが、これに限らず、複数に分割されていてもよく、収納移送手段７および取出移送手段８の押動ローラ７６，８６，…が接触する位置にのみ形成されていてもよい。
【０１３６】
また、突出部２１，２６は、後面部２５の突出部２６が間仕切パネル２の前面部２０の突出部２１よりも上方に配設されている態様として説明したが、これに限らず、下方に配設されていてもよく、一方が他方よりも上下方向に延設されていてもよい。さらに、ローラ部２９，２９，…についても、突出部２１，２６の配設位置に応じて配設位置が変更されてもよい。
【０１３７】
また、ローラ部２９は、複数のローラ２９ａ，２９ａ，…を備える態様として説明したが、水平方向に回動可能なローラ２９ａを一つだけ備える態様であってもよく、その構造を限定するものではない。
【０１３８】
また、ローラユニット５０，５５，…は、二組のローラユニット５０，５５，５０’，５５’を備える態様として説明したが、これに限らず、一組であってもよく、３組以上備える態様であってもよく、ベルトコンベアにより間仕切パネル２を搬送する態様であってもよい。
【０１３９】
また、第１移動手段６は、間仕切パネル２の右側端部２ｂを上面視左側へ押動する態様として説明したが、これに限らず、間仕切パネル２を上面視右側に引張可能であってもよく、この態様であれば、第２移動手段９を省略することができる。また、第１移動手段６は、第２移動手段として用いてもよい。
【０１４０】
また、第２移動手段９は、間仕切パネル２を上面視右側に押動する態様として説明したが、これに限らず、上面視左側に引張可能であってもよい。この態様であれば、第１移動手段６を省略することができる。
【符号の説明】
【０１４１】
１                移動間仕切装置
２                間仕切パネル
４                吊支部材（吊支体）
７                収納移送手段（移動装置）
８                取出移送手段（移動装置）
１１Ａ，１１Ｂ    案内部
１３              走行ローラ（第１の車輪）
１４              保護ローラ（第２の車輪）
１５              ガイドローラ（第３の車輪）
３０              第１レール（レール、走行レール）
３０ａ            下向き開口部（ガイド溝）
３１              第２レール（レール、収納レール）
３１ａ            下向き開口部（ガイド溝）
３１ｂ            レール部（下部内面）
３１ｃ            天井部（上部内面）
３１ｄ            ガイド部（案内部材）
３２              第３レール（レール）
３２ａ            下向き開口部（ガイド溝）
３２ｂ            レール部（下部内面）
３２ｃ            天井部（上部内面）
３２ｄ            ガイド部（案内部材）
３３              接続部材（レール）
３３ａ            下向き開口部（ガイド溝）
３３ｂ            レール部（下部内面）
３３ｃ            天井部（上部内面）
３３ｄ            ガイド部（案内部材）
３５，３５’      交差部
７０              電動シリンダ（駆動部）
７３              移送ユニット（作動部）
８１              モータ（駆動部）
８３              移送ユニット（作動部）
Ｃ                天井部
Ｅ                出入口
Ｓ                取出機構
Ｗ                側壁
Ｘ                収納室
Ｙ                室内空間
【図１】
2018131856.tif 000003
【図２】
2018131856.tif 000004
【図３】
2018131856.tif 000005
【図４】
2018131856.tif 000006
【図５】
2018131856.tif 000007
【図６】
2018131856.tif 000008
【図７】
2018131856.tif 000009
【図８】
2018131856.tif 000010
【図９】
2018131856.tif 000011
【図１０】
2018131856.tif 000012
【図１１】
2018131856.tif 000013
【図１２】
2018131856.tif 000014
【図１３】
2018131856.tif 000015
【図１４】
2018131856.tif 000016